(57)【要約】【課題】  興味を引くページが閲覧し難い表示態様となることを防止しつつ、コンテンツの全ページの切換表示に要する電力を小さくすること。【解決手段】  表示対象であるコンテンツの各ページを電気泳動表示体に切換表示させる電池駆動型の表示装置であって、電気泳動表示体に表示させるコンテンツが選択されると、その選択されたコンテンツの各ページの表示モードを前記電池の残量に基づいて設定し（ステップＳ８〜Ｓ１２）、その設定された表示モードに基づいて前記選択されたコンテンツの各ページを電気泳動表示体に切換表示させるようにした（ステップＳ１３）。【選択図】    図５
2005215499.tif 000002
【特許請求の範囲】
【請求項１】
表示対象であるコンテンツの各ページを記憶性表示体に切換表示させる電池駆動型の表示装置であって、前記電池の残量を検出する残量検出手段と、前記記憶性表示体に表示させるコンテンツが選択されると、その選択されたコンテンツの全ページを基準表示態様で切換表示するときに要する基準電力が前記残量以下であるか否かを判定する判定手段と、前記基準電力が前記残量以下でないと判定されると、前記選択されたコンテンツの全ページの切換表示に要する電力が前記基準電力より小さくなるように、当該コンテンツの少なくとも一部のページに低消費電力表示態様を設定する表示態様設定手段と、その設定状態に基づいて前記選択されたコンテンツの各ページを記憶性表示体に切換表示させる切換表示手段を備えたことを特徴とする表示装置。
【請求項２】
前記表示態様設定手段は、前記基準電力が前記残量以下でないと判定されると、前記選択されたコンテンツの全ページの切換表示に要する電力が小さくなるように、当該コンテンツの少なくとも一部のページに所定の表示レイアウトを設定することを特徴とする請求項１に記載の表示装置。
【請求項３】
前記所定の表示レイアウトは、基準表示態様より１ページ当たりの情報量が大きい表示レイアウトであることを特徴とする請求項２に記載の表示装置。
【請求項４】
前記表示態様設定手段は、前記基準電力が前記残量以下でないと判定されると、前記選択されたコンテンツの全ページの切換表示に要する電力が前記残量以下となるように、当該コンテンツの各ページの表示態様の組み合わせパターンを複数生成する組み合わせパターン生成手段と、その生成された複数の組み合わせパターンのうち選択された組み合わせパターンに基づいて、前記選択されたコンテンツの少なくとも一部のページに低消費電力表示態様を設定する設定手段を備えたことを特徴とする請求項１から３のいずれか１項に記載の表示装置。
【請求項５】
前記複数の組み合わせパターンは、前記選択されたコンテンツの全ページのうち前段のページを低消費電力表示態様とし、且つ、前記選択されたコンテンツの全ページのうち後段のページを基準表示態様とする組み合わせパターンを含むことを特徴とする請求項４に記載の表示装置。
【請求項６】
前記複数の組み合わせパターンは、前記選択されたコンテンツの全ページのうち後段のページを低消費電力表示態様とし、且つ、前記選択されたコンテンツの全ページのうち前段のページを基準表示態様とする組み合わせパターンを含むことを特徴とする請求項４に記載の表示装置。
【請求項７】
前記低消費電力表示態様は、１ページ当たりの切換表示に要する消費電力が異なる複数の表示態様を含むことを特徴とする請求項５又は６に記載の表示装置。
【請求項８】
前記複数の組み合わせパターンは、前記選択されたコンテンツの全ページを同じ低消費電力表示態様とする組み合わせパターンを含むことを特徴とする請求項１から７のいずれか１項に記載の表示装置。
【請求項９】
前記選択されたコンテンツのページのうち特定の表示態様で表示することを示すフラグがセットされているページを検出するフラグセットページ検出手段を備え、前記表示態様設定手段は、その検出されたページに前記特定の表示態様を設定することを特徴とする請求項１から８のいずれか１項に記載の表示装置。
【発明の詳細な説明】
【技術分野】
【０００１】
本発明は、表示対象であるコンテンツの各ページを記憶性表示体、つまり電力の供給を止めてもそれまでの表示内容を保持可能な表示体に切換表示させる電池駆動型の表示装置に関する。
【背景技術】
【０００２】
従来、この種の表示装置としては、例えば、書籍等のコンテンツの各ページをコレステリック液晶や電気泳動型表示体等の記憶性表示体に切換表示させ、その切換表示させたコンテンツの各ページを利用者に閲覧させる電子書籍の表示装置が知られている。
【０００３】
また、例えば、バックライトを備えた電池駆動型の液晶表示装置において、その電池の残量が所定値以下であるときにバックライトを消灯する、つまり電力消費量を小さくする技術が知られている（例えば、特許文献１参照。）。
【０００４】
ところで、これら従来の技術を組み合わせると、コンテンツの各ページを記憶性表示体に切換表示させる電池駆動型の表示装置においても、その電池の残量が所定値以下であるときに、前記切換表示に要する電力を小さくすることができる。例えば、切換表示に要する電力を小さくする方法としては、記憶性表示体にゲートドライバやソースドライバで印可する電圧を小さくする方法が挙げられる。
【特許文献１】特開２００１−１５４６３８号公報
【発明の開示】
【発明が解決しようとする課題】
【０００５】
しかしながら、上記従来の技術を組み合わせたものにあっては、例えば、記憶性表示体として電気泳動表示体を用い、その電気泳動表示体にソースドライバやゲートドライバで印可する電圧を小さくすると、コンテンツの画像を形成する着色された帯電粒子の移動量が小さくなり、コンテンツの画像がコントラストの小さい表示態様となってしまう。そのため、コンテンツをクライマックス部分のページに切換表示させるときに、電池の残量が所定閾値以下となると、クライマックス部分がコントラストの小さい表示態様、つまり閲覧し難い表示態様となってしまい、利用者に違和感を与えてしまう恐れがあった。
【０００６】
そこで、本発明は、上記従来技術の未解決の問題に着目してなされたものであって、興味を引くページが閲覧し難い表示態様となることを防止しつつ、コンテンツの全ページの切換表示に要する電力を小さくすることができる表示装置を提供することを課題とする。
【課題を解決するための手段】
【０００７】
上記課題を解決するために、第１の発明の表示装置は、表示対象であるコンテンツの各ページを記憶性表示体に切換表示させる電池駆動型の表示装置であって、前記電池の残量を検出する残量検出手段と、前記記憶性表示体に表示させるコンテンツが選択されると、その選択されたコンテンツの全ページを基準表示態様で切換表示するときに要する基準電力が前記残量以下であるか否かを判定する判定手段と、前記基準電力が前記残量以下でないと判定されると、前記選択されたコンテンツの全ページの切換表示に要する電力が前記基準電力より小さくなるように、当該コンテンツの少なくとも一部のページに低消費電力表示態様を設定する表示態様設定手段と、その設定状態に基づいて前記選択されたコンテンツの各ページを記憶性表示体に切換表示させる切換表示手段を備えたことを特徴とする。
【０００８】
この第１の発明によれば、例えば、興味を引くページに画質がよい基準表示態様を設定し、それ以外のページに切換表示に要する電力量が小さい低消費電力表示態様を設定することで、興味を引くページが閲覧し難い表示態様となることを防止しつつ、コンテンツの全ページの切換表示に要する電力を小さくすることができる。
【０００９】
また、第２の発明の表示装置では、前記表示態様設定手段は、前記基準電力が前記残量以下でないと判定されると、前記選択されたコンテンツの全ページの切換表示に要する電力が小さくなるように、当該コンテンツの少なくとも一部のページに所定の表示レイアウトを設定することを特徴とする。
【００１０】
さらに、第３の発明である表示装置では、前記所定の表示レイアウトは、基準表示態様より１ページ当たりの情報量が大きい表示レイアウトであることを特徴とする。
【００１１】
これら第２及び第３の発明によれば、コンテンツの総ページ数を少なくし、コンテンツの全ページの切換表示に要する電力を容易に小さくすることができる。
【００１２】
また、第４の発明である表示装置では、前記表示態様設定手段は、前記基準電力が前記残量以下でないと判定されると、前記選択されたコンテンツの全ページの切換表示に要する電力が前記残量以下となるように、当該コンテンツの各ページの表示態様の組み合わせパターンを複数生成する組み合わせパターン生成手段と、その生成された複数の組み合わせパターンのうち選択された組み合わせパターンに基づいて、前記選択されたコンテンツの少なくとも一部のページに低消費電力表示態様を設定する設定手段を備えたことを特徴とする。
【００１３】
さらに、第５の発明である表示装置では、前記複数の組み合わせパターンは、前記選択されたコンテンツの全ページのうち前段のページを低消費電力表示態様とし、且つ、前記選択されたコンテンツの全ページのうち後段のページを基準表示態様とする組み合わせパターンを含むことを特徴とする。
【００１４】
これら第４及び第５の発明によれば、例えば、コンテンツの全ページのうち後段のページに画質がよい表示態様を設定することができ、推理小説等のようにクライマックス部分が後段にあるコンテンツを表示させるときに、クライマックス部分が閲覧し難い表示態様となってしまうことを防止することができる。
【００１５】
また、第６の発明である表示装置では、前記複数の組み合わせパターンは、前記選択されたコンテンツの全ページのうち後段のページを低消費電力表示態様とし、且つ、前記選択されたコンテンツの全ページのうち前段のページを基準表示態様とする組み合わせパターンを含むことを特徴とする。
【００１６】
この第６の発明によれば、例えば、コンテンツの全ページのうち前段のページに画質がよい表示態様を設定することができ、コンテンツを表示させるときに、冒頭部分が閲覧し難い表示態様となってしまうことを防止することができる。
【００１７】
さらに、第７の発明である表示装置では、前記低消費電力表示態様は、１ページ当たりの切換表示に要する消費電力が異なる複数の表示態様を含むことを特徴とする。
【００１８】
この第７の発明によれば、コンテンツの各ページの表示態様を段階的に変化させることができ、コンテンツの閲覧中に表示態様が急激に変化してしまうことを防止できる。
【００１９】
また、第８の発明である表示装置では、前記複数の組み合わせパターンは、前記選択されたコンテンツの全ページを同じ低消費電力表示態様とする組み合わせパターンを含むことを特徴とする。
【００２０】
この第８の発明によれば、コンテンツの各ページを一様な表示態様で表示させることができ、コンテンツを閲覧している途中で表示態様が変化してしまうことを防止できる。
【００２１】
さらに、第９の発明である表示装置では、前記選択されたコンテンツのページのうち特定の表示態様で表示することを示すフラグがセットされているページを検出するフラグセットページ検出手段を備え、前記表示態様設定手段は、その検出されたページに前記特定の表示態様を設定することを特徴とする。
【００２２】
この第９の発明によれば、フラグをセットしておくことで、コンテンツの制作者はコンテンツ内の任意のページを画質がよい表示態様で表示させることができる。
【発明を実施するための最良の形態】
【００２３】
以下、本発明に係る画像表示装置として、所定のページに区切られた電子ブックのコンテンツを閲覧するための電子ブックリーダの実施形態を図面に基づいて説明する。
【００２４】
図１は、本発明の一実施形態の外形を示す概略構成図であり、図２は、本発明の一実施形態の内部構成を示すブロック図である。この図２に示すように、電子ブックリーダ１は、ＣＰＵ（Central  Processing  Unit）２、ＲＡＭ（Random  Access  Memory）３、ＲＯＭ４（Read  Only  Memory）、ページ送りボタン５、ページ戻しボタン６、連続送りボタン７及び決定ボタン８が接続されたＩ／Ｏ(Input Output)９、ＶＲＡＭ（Video  RAM）１０、ディスプレイコントローラ１１、表示装置１２、タッチパネル１３が接続されたタッチパネルＩ／Ｏ１４、電池残量検出回路１５及び表示体用温度センサ１６で構成され、ページ送りボタン５、ページ戻しボタン６、連続送りボタン７、決定ボタン８、表示装置１２、タッチパネル１３及び表示体用温度センサ１６を除く各部はバス１８で互いに信号を授受可能に接続されている。
【００２５】
これらのうちＣＰＵ２は、ＲＯＭ４に格納された基本制御プログラムやアプリケーションプログラム等の各種プログラム及びデータを読み込み、それら各種プログラム及びデータをＲＡＭ３内に設けられるワークエリアに展開実行して、電子ブックリーダが備える各部の制御を実行する。
【００２６】
また、ＣＰＵ２は、表示させるコンテンツを選択する操作がされるたびに、後述するコンテンツ表示処理を実行する。そして、その選択されたコンテンツの全ページの切換表示に要する消費電力を、電子ブックリーダ１の駆動用電池が出力可能な電力（以下、使用可能残量とも呼ぶ。）から減じた減算結果が所定閾値以下であるか否かを判定し、所定閾値以下であるときに、前記選択されたコンテンツの全ページの切換表示に要する電力が前記使用可能残量以下となるようにするための低消費電力処理を行うか否かを選択させる。低消費電力処理を行うことが選択されると、各ページの表示モード（基準表示モード、第１低消費電力表示モード、第２低消費電力表示モード）の組み合わせパターン（第１〜７の組み合わせパターン）を選択させ、その選択された組み合わせパターンに応じた表示モードでコンテンツの各ページを順番に表示させる。なお、低消費電力処理を行わないことが選択されると、Ｉ／Ｏ９から後述するページ送り信号、ページ戻し信号又は連続送り信号が出力されるたびに、その出力された信号に応じたコンテンツの画像のラスタデータを生成し、そのラスタデータをＶＲＡＭ１０に格納させる。
【００２７】
ここで、基準表示モードは、コンテンツの画像が電気泳動表示体１９に適切なコントラストで表示されるように、後述するゲートドライバ２０やソースドライバ２１に電圧を印加させるモードである。
【００２８】
第１低消費電力表示モードは、基準表示モードにおいて印可させる電圧に比べ、後述するゲートドライバ２０やソースドライバ２１に小さい電圧を印可させるモードである。つまり、基準表示モードにおける表示態様より、コントラストが小さい表示態様でコンテンツを表示させるモードである。
【００２９】
第２低消費電力表示モードは、第１低消費電力表示モードにおいて印可させる電圧に比べ、後述するゲートドライバ２０やソースドライバ２１に小さい電圧を印可させるモードである。つまり、基準表示モードや第１低消費電力表示モードにおける表示態様より、コントラストが小さい表示態様でコンテンツを表示させるモードである。
【００３０】
また、第１の組み合わせパターンは、図３（ａ）に示すように、コンテンツの全ページを同じ低消費電力表示モードで表示させる組み合わせパターンである。具体的には、電池残量検出回路１５で検出される電子ブックリーダ１の駆動用電池の使用可能残量を、電気泳動表示体１９に表示させるコンテンツの総ページ数で除算し、その除算結果を、１ページ分のコンテンツの画像を電気泳動表示体１９に切換表示させるのに利用できる電力（１ページ利用可能電力）とする。そして、その算出された１ページ利用可能電力以下で一番消費電力が大きい表示モードを選択し、その選択された表示モードでコンテンツの全ページを表示させる。
【００３１】
このように、本実施形態の電子ブックリーダ１によれば、組み合わせパターンとして、コンテンツの全ページを同じ表示モードとする組み合わせパターンを含むようにしたため、コンテンツの各ページを一様な表示態様で表示させることができ、コンテンツを閲覧している途中で表示態様が変化してしまうことを防止できる。
【００３２】
第２の組み合わせパターンは、図３（ｂ）に示すように、コンテンツの全ページのうち前段のページを第２低消費電力表示モードで表示させると共に、後段のページを基準表示モードで表示させる組み合わせパターンである。その際、駆動用電池の使用可能残量Ｐと第２低消費電力表示モードの１ページ消費電力Ｐ２と基準表示モードの１ページ消費電力Ｐ０とコンテンツの総ページ数ｃとに基づき、下記（１）式に従って、第２低消費電力表示モードで表示するページ数ｂと基準表示モードで表示するページ数ａとを算出する。
【００３３】
ａ×Ｐ０＋b×Ｐ２＝Ｐ
ａ＋ｂ＝ｃ  ………（１）
このように、本実施形態の電子ブックリーダ１によれば、組み合わせパターンとして、コンテンツの全ページのうち前段のページを第２低消費電力表示モードとし、且つ、後段のページを基準表示モードとする組み合わせパターンを含むようにしたため、コンテンツの全ページのうち後段のページに画質がよい表示態様を設定することができ、推理小説等のようにクライマックス部分が後段にあるコンテンツを表示させるときに、クライマックス部分が閲覧し難い表示態様となってしまうことを防止することができる。
【００３４】
第３の組み合わせパターンは、図３（ｃ）に示すように、コンテンツの全ページのうち前段のページを第２低消費電力表示モードで表示させ、中段のページを第１低消費電力表示モードで表示させ、後段のページを基準表示モードで表示させる組み合わせパターンである。その際、駆動用電池の使用可能残量Ｐと第２低消費電力表示モードの１ページ消費電力Ｐ２と第１低消費電力表示モードの１ページ消費電力Ｐ１と基準表示モードの１ページ消費電力Ｐ０とコンテンツの総ページ数ｃとに基づき、下記（２）式に従って、第２低消費電力表示モードで表示するページ数ｂ２と第１低消費電力表示モードで表示するページ数ｂ１と基準表示モードで表示するページ数ａとを算出する。なお、ここでは第１低消費電力表示モードで表示するページ数ｂ１と第２低消費電力表示モードで表示するページ数ｂ２とを等しいものとする。
【００３５】
ａ×Ｐ０＋ｂ１×Ｐ１＋ｂ２×Ｐ２＝Ｐ
ａ＋ｂ１＋ｂ２＝ｃ
ｂ１＝ｂ２  ………（２）
このように、本実施形態の電子ブックリーダ１によれば、低消費電力表示モードとして、１ページ当たりの切換表示に要する消費電力が異なる２つの低消費電力表示モードを含むようにしたため、コンテンツの各ページの表示態様を段階的に変化させることができ、コンテンツの閲覧中に表示態様が急激に変化してしまうことを防止できる。
【００３６】
なお、第１低消費電力表示モードで表示するページ数ｂ１と第２低消費電力表示モードで表示するページ数ｂ２とを等しいものとする例を示したが、これに限られるものではなく、例えば、第１低消費電力表示モードで表示するページ数ｂ１を第２低消費電力表示モードで表示するページ数ｂ２の２倍とするようにしてもよい。
【００３７】
第４の組み合わせパターンは、図３（ｄ）に示すように、コンテンツの全ページのうち前段のページを基準表示モードで表示させると共に、後段のページを第２低消費電力表示モードで表示させる組み合わせパターンである。その際、第２低消費電力表示モードで表示するページ数ｂ及び基準表示モードで表示するページ数ａの算出方法は、第２の組み合わせパターンにおける算出方法と同様である。
【００３８】
このように、本実施形態の電子ブックリーダ１によれば、組み合わせパターンとして、コンテンツの全ページのうち後段のページを第２低消費電力表示モードとし、且つ、前段のページを基準表示モードとする組み合わせパターンを含むようにしたため、コンテンツの全ページのうち前段のページに画質がよい表示態様を設定することができ、コンテンツを表示させるときに、冒頭部分が閲覧し難い表示態様となってしまうことを防止することができる。
【００３９】
第５の組み合わせパターンは、図３（ｅ）に示すように、コンテンツの全ページのうち前段のページを基準表示モードで表示させ、中段のページを第１低消費電力表示モードで表示させ、後段のページを第２低消費電力表示モードで表示させる組み合わせパターンである。その際、第２低消費電力表示モードで表示するページ数ｂ２、第１低消費電力表示モードで表示するページ数ｂ１及び基準表示モードで表示するページ数ａの算出方法は、第３の組み合わせパターンにおける算出方法と同様である。
【００４０】
このように、本実施形態の電子ブックリーダ１によれば、低消費電力表示モードとして、１ページ当たりの切換表示に要する消費電力が異なる２つの低消費電力表示モードを含むようにしたため、コンテンツの各ページの表示態様を段階的に変化させることができ、コンテンツの閲覧中に表示態様が急激に変化してしまうことを防止できる。
【００４１】
第６の組み合わせパターンは、図３（ｆ）に示すように、コンテンツの全ページのうち前段のページを基準表示モードで表示させ、中段のページを第２低消費電力表示モードで表示させ、後段のページを基準表示態様で表示させる組み合わせパターンである。その際、第２低消費電力表示モードで表示するページ数ｂ及び基準表示モードで表示するページ数ａの算出方法は、第２の組み合わせパターンにおける算出方法と同様である。
【００４２】
このように、本実施形態の電子ブックリーダ１によれば、コンテンツの全ページの内、前段のページと後段のページを基準表示モードとし、中段のページを第2低消費電力モードとしたため、コンテンツの全ページの内、冒頭部分とクライマックス部分が閲覧し難い表示態様となってしまうことを防止することができる。
【００４３】
第７の組み合わせパターンは、図３（ｇ）に示すように、コンテンツの全ページのうち前段のページを基準表示モードで表示させ、中段のページを第１及び第２低消費電力表示モードで表示させ、後段のページを基準表示モードで表示させる組み合わせパターンである。また、コンテンツの中段のページは、前後両側のページを第１低消費電力表示モードで表示させ、内側のページを第２の低消費電力表示モードで表示させる。その際、第２低消費電力表示モードで表示するページ数ｂ２、第１低消費電力表示モードで表示するページ数ｂ１及び基準表示モードで表示するページ数ａの算出方法は、第３の組み合わせパターンにおける算出方法と同様である。
【００４４】
このように、本実施形態の電子ブックリーダ１によれば、低消費電力表示モードとして、１ページ当たりの切換表示に要する消費電力が異なる２つの低消費電力表示モードを含むようにしたため、コンテンツの各ページの表示態様を段階的に変化させることができ、コンテンツの閲覧中に表示態様が急激に変化してしまうことを防止できる。
【００４５】
また、ＲＡＭ３は、ＣＰＵ２が各種プログラムに従って上記処理を実行するときに、各種プログラムを展開するワークエリアを形成するとともに、ＣＰＵ２により実行される各種処理に係るデータを展開するためのメモリ領域を形成する。なお、ＲＡＭ３としては、ＦｅＲＡＭ（Ferroelectric  Random  Access  Memory）やＭＲＡＭ(Magnetoresistive  random  access  memory)等の不揮発性メモリを使用する。
【００４６】
さらに、ＲＯＭ４は、ＣＰＵ２により実行される基本制御プログラム、各種アプリケーションプログラム及びこれら各プログラムに係るデータ等を格納する。そして、ＲＯＭ４は、ＣＰＵ２からの読み出し要求に従って、それら各種プログラムやデータをＣＰＵ２に出力する。なお、ＲＯＭ４内の各種プログラム及びデータは、いずれもＣＰＵ２により読み取り及び実行可能な形式で格納されている。
【００４７】
また、Ｉ／Ｏ９は、表示装置１２に表示されているコンテンツの次ページのコンテンツを表示装置１２に切換表示させるためのページ送りボタン５、前ページのコンテンツを表示装置１２に切換表示させるためのページ戻しボタン６、次ページのコンテンツを表示装置１２に次々と切換表示させるための連続送りボタン７及び決定ボタン８が接続されている。そして、ページ送りボタン５が押下操作されるとページ送り信号をＣＰＵ２に出力する。また同様に、ページ戻しボタン６が押下操作されるとページ戻し信号をＣＰＵ２に出力し、連続送りボタン７が押下操作されると連続送り信号をＣＰＵ２に出力する。
【００４８】
さらに、ＶＲＡＭ１０は、ＣＰＵ２からの書き込み要求に従って、ラスタデータを格納するとともに、ディスプレイコントローラ１１からの読み出し要求に従って、そのラスタデータをディスプレイコントローラ１１に出力する。
【００４９】
また、ディスプレイコントローラ１１は、ＶＲＡＭ１０に新たなラスタデータが格納されるたびに、その格納されたラスタデータを読み出し、その読み出されたラスタデータに基づいてゲートドライバ駆動用データ及びソースドライバ駆動用データを生成する。そして、その生成されたゲートドライバ駆動用データ及びソースドライバ駆動用データを表示装置１２の後述するゲートドライバ２０及びソースドライバ２１に分配出力する。
【００５０】
また、表示装置１２は、複数の画素がアレイ状に形成された電気泳動表示体１９、つまり電力の供給を止めてもそれまでの表示内容を保持可能な表示体を中央に有し、その電気泳動表示体１９の平面視左側には、ゲートドライバ２０が配され、平面視上側には、ソースドライバ２１が配されている。そして、ディスプレイコントローラ１１から出力されるゲートドライバ駆動用データ及びソースドライバ駆動用データに従って、任意の画素に所定電圧をゲートドライバ２０及びソースドライバ２１で印加し、コンテンツの画像を電気泳動表示体１９に表示させる。なお、電気泳動表示体１９の駆動方式としては、１走査線ずつ描画するシングルライン駆動方式や複数走査線を同時に描画するマルチライン駆動方式等を挙げることができる。
【００５１】
また、タッチパネルＩ／Ｏ１４は、電気泳動表示体１９の前面側を覆うタッチパネル１３が接続されている。そして、タッチパネル１３が押圧操作されると操作位置を示すタッチパネル信号をＣＰＵ２に出力する。
【００５２】
さらに、電池残量検出回路１５は、図４に示すように、Ａ／Ｄコンバータ２２、電圧データラッチ２３、電池用温度センサ２４、内部ＲＯＭ２５、制御回路２６及び演算器２７を有する。
【００５３】
これらのうちＡ／Ｄコンバータ２２は、電子ブックリーダ１の駆動用電池の電圧を検出し、その検出された電圧のデータをデジタル化して電圧データラッチ２３に出力する。
【００５４】
また、電圧データラッチ２３は、Ａ／Ｄコンバータ２２から出力されるデジタル化された電圧のデータをラッチし、そのラッチされた電圧のデータを演算器２７に出力する。
【００５５】
さらに、電池用温度センサ２４は、電子ブックリーダ１の駆動用電池の温度を検出し、その検出された温度を制御回路２６に出力する。
【００５６】
また、内部ＲＯＭ２５は、電子ブックリーダ１の駆動用電池の温度特性を示す制御マップを格納する。そして、内部ＲＯＭ２５は、制御回路２６からの読み出し要求に従って、その制御マップのデータを制御回路２６に出力する。なお、内部ＲＯＭ２５内の制御マップのデータは、いずれも制御回路２６により読み取り可能な形式で格納されている。
【００５７】
さらに、制御回路２６は、内部ＲＯＭ２５に格納された制御マップを読み込み、その制御マップを参照し、電池用温度センサ２４で検出された温度に基づいて電子ブックリーダ１の駆動用電池の閾値電圧を算出し、その算出された閾値電圧を演算器２７に出力する。
【００５８】
また、演算器２７は、電圧データラッチ２３から出力される電圧のデータと制御回路２６から出力される閾値電圧とに基づいて電子ブックリーダ１の駆動用電池の使用可能残量を算出し、その算出された駆動用電池の使用可能残量をＣＰＵ２に出力する。
【００５９】
また、表示体用温度センサ１６は、電気泳動表示体１９の温度のデータを検出し、その検出された温度のデータをＣＰＵ２及びディスプレイコントローラ１１に出力する。なお、表示体用温度センサ１６としては、温度変化に対して極めて大きな抵抗値変化を示すサーミスタを使用し、そのサーミスタの出力電圧を測定することによって、電気泳動表示体１９の温度を検出する。
【００６０】
次に、ＣＰＵ２で実行されるコンテンツ表示処理を、図５のフローチャートに従って説明する。このコンテンツ表示処理は、表示させるコンテンツを選択する操作がされると実行される処理であって、まずそのステップＳ１では、表示体用温度センサ１６で検出された電気泳動表示体１９の温度を読み込む。
【００６１】
次にステップＳ２に移行して、電池残量検出回路１５で検出された電子ブックリーダ１の駆動用電池の使用可能残量を読み込む。
【００６２】
次にステップＳ３に移行して、図６のデータテーブルを参照し、前記ステップＳ１で読み込まれた温度に基づき、第１駆動方式で且つ基準表示モードによって１ページ分のコンテンツの画像を電気泳動表示体１９に切換表示させるのに必要な電力（１ページ消費電力）を算出する。データテーブルは、図６に示すように、電気泳動表示体１９の温度と駆動方式（第１駆動方式、第２駆動方式）と表示モード（基準表示モード、第１低消費電力表示モード、第２低消費電力表示モード）に基づいて１ページ消費電力が設定されている。
【００６３】
次にステップＳ４に移行して、電気泳動表示体１９に表示させるコンテンツの総ページ数に前記ステップＳ３で検出された１ページ書き換え消費電力を乗算し、その乗算結果を前記総ページ数分のコンテンツの画像を電気泳動表示体１９に切換表示させるのに必要な電力（総ページ数表示消費電力）とする。
【００６４】
次にステップＳ５に移行して、前記ステップＳ２で読み込まれた駆動用電池の使用可能残量から前記ステップＳ４で算出された総ページ数表示消費電力を減算し、その減算結果が所定閾値以下であるか否かを判定し、所定閾値以下である場合には（Ｙｅｓ）ステップＳ６に移行し、所定閾値より大きい場合には（Ｎｏ）ステップＳ１４に移行する。
【００６５】
前記ステップＳ６では、図７（ａ）に示すように、低消費電力処理を行うか否かを選択させるメッセージの画像のラスタデータを生成し、そのラスタデータをＶＲＡＭ１０に格納させる。
【００６６】
次にステップＳ７に移行して、利用者が低消費電力処理を行うことを選択する操作をしたか否かを判定し、低消費電力処理を行うことを選択する操作をした場合には（Ｙｅｓ）ステップＳ８に移行し、行わないことを選択する操作をした場合には（Ｎｏ）前記ステップＳ１４に移行する。
【００６７】
次にステップＳ８に移行して、図７（ｂ）に示すように、コンテンツの全ページの切換表示に要する電力が前記ステップＳ２で読み込まれた使用可能残量以下となるように、コンテンツの各ページの表示モードの組み合わせパターンを複数生成し（第１〜７の組み合わせパターン）、その生成された第１〜７の組み合わせパターンのいずれか１つを利用者に選択させるメッセージの画像のラスタデータを生成し、そのラスタデータをＶＲＡＭ２０に格納させる。そして、利用者が任意の組み合わせパターンを選択する操作をしたときに、第１〜７の組み合わせパターンのいずれが選択されたかを検出する。
【００６８】
次にステップＳ９に移行して、コンテンツ内に図面を含むページや、基準表示モードで表示することを示す基準表示フラグがセットされているページが存在するか否かを判定し、存在する場合には（Ｙｅｓ）ステップＳ１０に移行し、存在しない場合には（Ｎｏ）ステップＳ１２に移行する。
【００６９】
前記ステップＳ１０では、図面を含むページ及び基準表示フラグがセットされているページに基準表示モードを設定する。
【００７０】
このように、本実施形態の電子ブックリーダ１によれば、図面を含むページに基準表示モードを設定するようにしたため、図面をコントラストが適切な表示態様とすることができ、図面に書かれている小さな文字が読み難くなることを防ぐことができる。
【００７１】
また、基準表示フラグがセットされているページに基準表示モードを設定するようにしたため、所望のページに予め基準表示フラグをセットしておくことで、コンテンツの制作者はコンテンツ内の任意のページを画質がよい表示態様とすることができる。
【００７２】
前記ステップＳ１１では、前記ステップＳ１０で基準表示モードが設定されたページを除いたページ、つまり残ページに、前記ステップＳ８で設定された組み合わせパターンに応じた表示モードを設定してから、ステップＳ１３に移行する。
【００７３】
一方、前記ステップＳ１２では、コンテンツの各ページに前記ステップＳ８で設定された組み合わせパターンに応じた表示モードを設定してから、前記ステップＳ１３に移行する。
【００７４】
前記ステップＳ１３では、前記ステップＳ１０〜Ｓ１２で設定された表示モードに応じた電圧をゲートドライバ２０やソースドライバ２１に印可させ、コンテンツの各ページを順番に表示させてから、この演算処理を終了する。
【００７５】
一方、前記ステップＳ１４では、Ｉ／Ｏ９からページ送り信号、ページ戻し信号又は連続送り信号が出力されるたびに、その出力された信号に応じたコンテンツの画像のラスタデータを生成し、そのラスタデータをＶＲＡＭ１０に格納させる。そして、コンテンツの最終ページが表示されると又は、新たなコンテンツの選択操作がされると、この演算処理を終了する。
【００７６】
次に、本実施形態の電子ブックリーダ１の動作を具体的状況に基づいて説明する。
【００７７】
まず、利用者がコンテンツを選択する操作をしたとする。すると、ＣＰＵ２で、コンテンツ表示処理が実行され、図５に示すように、まずそのステップＳ１で、電気泳動表示体１９の温度が読み込まれ、ステップＳ２で、電子ブックリーダ１の駆動用電池の使用可能残量が読み込まれる。また、ステップＳ３で、図６のデータテーブルが参照され、前記温度に基づき第１駆動方式で且つ基準表示モードにおける１ページ消費電力が算出され、ステップＳ４で、その算出された１ページ書き換え消費電力がコンテンツの総ページ数に乗算され、その乗算結果が総ページ数表示消費電力とされる。
【００７８】
その総ページ数表示消費電力に所定閾値を加算した値より使用可能残量が小さいとする。すると、ステップＳ５の判定が「Ｙｅｓ」となり、ステップＳ６で、メッセージの画像のラスタデータが生成され、そのラスタデータがＶＲＡＭ１０に格納され、図７（ａ）に示すように、低消費電力処理を行うか否かを選択させるメッセージが電気泳動表示体１９に表示される。
【００７９】
また、利用者が低消費電力処理を行うことを選択する操作をしたとする。すると、ステップＳ７の判定が「Ｙｅｓ」となり、ステップＳ８で、コンテンツの全ページの切換表示に要する電力が使用可能残量以下となるように、コンテンツの各ページの表示モードの組み合わせパターン（第１〜７の組み合わせパターン）が生成される。そして、メッセージの画像のラスタデータが生成され、そのラスタデータがＶＲＡＭ２０に格納され、図７（ｂ）に示すように、その生成された組み合わせパターンのいずれか１つを利用者に選択させるメッセージが電気泳動表示体１９に表示される。
【００８０】
利用者が第２の組み合わせパターンを選択する操作をし、またコンテンツ内に図面を含むページや基準表示フラグがセットされているページが存在しないとする。すると、ステップＳ１２で、コンテンツの全ページのうち前段のページに第２低消費電力表示モードが設定されると共に、後段のページに基準表示モードが設定され、ステップＳ１３で、その設定された表示モードに応じた電圧をゲートドライバ２０及びソースドライバ２１に印可され、コンテンツの各ページが電気泳動表示体１９に順番に表示される。
【００８１】
このように、本実施形態の電子ブックリーダ１によれば、例えば、興味を引くページにコントラストが適切な基準表示モードを設定し、それ以外のページに第１又は第２低消費電力表示モードを設定することで、興味を引くページが閲覧し難い表示態様となることを防止しつつ、コンテンツの全ページの切換表示に要する電力を小さくすることができる。
【００８２】
なお、上記実施形態によれば、図２及び図４の電池残量検出回路１５及び図５のステップＳ２が残量検出手段を構成し、以下同様に、図２のＣＰＵ２及び図５のステップＳ４が判定手段を構成し、図２のＣＰＵ２及び図５のステップＳ８〜Ｓ１２が表示態様設定手段を構成し、図２のＣＰＵ２及びディスプレイコントローラ１１、図５のステップＳ１３が切換表示手段を構成し、図５のステップＳ７が組み合わせパターン生成手段を構成し、図５のステップＳ８が選択要求手段を構成し、図５のステップＳ９〜Ｓ１２が設定手段を構成し、図２のＣＰＵ２及び図５のステップＳ９がフラグセットページ検出手段を構成する。
【００８３】
また、本発明の表示装置は、上記実施の形態の内容に限定されるものではなく、本発明の趣旨を逸脱しない範囲で適宜変更可能である。
【００８４】
例えば、上記実施形態では、電子ブックリーダ１の駆動用電池の電圧に基づいて当該駆動用電池の使用可能残量を算出する例を示したが、これに限られるものではなく、例えば、電流検出用の抵抗にかかる電圧をＡ／Ｄコンバータ２２で定期的に検出し、その検出毎に得られる電流を逐次加算し、その逐次加算された電流量を駆動用電池の使用可能な総電流量から差し引いて、駆動用電池の使用可能残量を算出するようにしてもよい。
【００８５】
また、電気泳動表示体１９を用いる例を示したが、これに限られるものではなく、例えば、コレステリック液晶等他の記憶性表示体を用いるようにしてもよい。
【００８６】
さらに、電子ブックリーダ１の駆動用電池とは別に、タッチパネル１３、タッチパネルＩ／Ｏ１４及び表示体用温度センサ１６等といった、電子ブックリーダ１の使用時間に応じて電力消費量が変化する特定回路に電力を供給する特定回路用電池を設けてもよい。
【００８７】
また、ＲＡＭ３として不揮発性メモリを使用する例を示したが、これに限られるものではなく、例えば、ＤＲＡＭ等の揮発性メモリを使用し、電子ブックリーダ１の駆動用電池とは別に、ＲＡＭ３用に専用電池を用意してもよい。
【００８８】
さらに、予め定められたデータテーブルを参照して１ページ消費電力を算出する例を示したが、これに限られるものではなく、例えば、１ページ分のコンテンツの切換表示を行うたびに、その切換表示前の駆動用電池の使用可能残量から当該切換表示後の駆動用電池の使用可能残量を減じ、その減算結果を１ページ消費電力とするようにしてもよい。なお、１ページ分の切換表示前の駆動用電池の使用可能残量と当該切換表示後の駆動用電池の使用可能残量の算出方法としては、その切換表示前に電圧データラッチ２３にラッチされていた電圧データに基づいて当該切換表示前の駆動用電池の使用可能残量を算出し、また当該切換表示後に電圧データラッチ２３にラッチされている電圧データに基づいて当該切換表示後の駆動用電池の使用可能残量を算出する方法が挙げられる。
【００８９】
また、１ページ消費電力を算出する方法によれば、新たに算出された１ページ消費電力に基づいてデータテーブルを補正するようにしてもよく、そのようにすれば、電気泳動表示体１９の消費電力のバラツキを適切に補正することができ、表示可能ページ数をより精度よく算出することができる。なお、データテーブルの補正時には、それまでデータテーブルに格納されていた１ページ消費電力と新たに算出された１ページ消費電力との間の平均値を補正結果としてもよく、それまでのデータテーブルに格納されていた１ページ消費電力に新たに算出された１ページ消費電力よりも大きい重みをつけて加算算出するようにしてもよい。
【００９０】
また、図６に電気泳動表示体１９の温度を０℃〜６０℃の範囲で１０℃毎に区切ったデータテーブルを用意する例を示したが、これに限られるものではなく、５℃毎に区切ったテーブルを用意するようにしていてもよい。また、１ページ消費電力が電気泳動表示体１９の温度変化に応じて線形的に変化する記憶性表示体でなく、所定温度より小さいときに一定となり、所定温度以上であるときに指数的に変化する記憶性表示体である場合には、電気泳動表示体１９の温度変化が所定温度より小さいときに温度の区切りを粗くし、所定温度以上であるときに温度の区切りを細かくするようにしてもよい。
【００９１】
さらに、コンテンツの切換表示に要する消費電力が異なる２つの低消費電力表示モード（第１及び第２低消費電力表示モード）を含む組み合わせパターンを設定する例を示したが、これに限られるものではなく、例えば、３つ以上の低消費電力モードを含む組み合わせパターンを設定するようにしてもよい。
【００９２】
また、第１及び第２低消費電力表示モードにおいて、ゲートドライバ２０及びソースドライバ２１に印可させる電圧を小さく設定する例を示したが、これに限られるものではなく、例えば、動作クロック周波数を下げたり、電気泳動表示体１９におけるコンテンツの表示領域を狭めたりし、各ページの切換表示に要する消費電力を小さくするようにしてもよい。
【００９３】
さらに、各ページの切換表示に要する消費電力を小さくする例を示したが、これに限られるものではなく、例えば、コンテンツの全ページの切換表示に要する電力が小さくなるように、コンテンツの少なくとも一部のページのレイアウトを変更するようにしてもよい。そのようにすれば、コンテンツの総ページ数を少なくし、コンテンツの全ページの切換表示に要する電力を容易に小さくすることができる。
【００９４】
コンテンツのレイアウトを変更する方法としては、文字サイズや行間サイズ、余白サイズ等を小さくし、１ページ当たりの情報量を大きくする方法を挙げることができる。具体的には、最も良好な表示を可能とする文字サイズ以下の文字サイズで、使用可能残電で表示可能な最大の文字サイズに変更する方法が挙げられる。そのようにすれば、コンテンツの各ページを一様なレイアウトで表示させることができ、コンテンツを閲覧している途中でレイアウトが変化してしまうことを防止できる。なおその際、コンテンツのヘッダ部分に任意の文字サイズで表示させたときの総ページ数のデータを予め保持させておき、その保持させておいた総ページ数のデータに基づいてレイアウトを変更するようにしてもよい。また、レイアウトを変更するタイミングは、コンテンツが選択された後であってもよいし、選択される前であってもよい。
【図面の簡単な説明】
【００９５】
【図１】本発明の実施形態の電子ブックリーダの概略構成図である。
【図２】図１の電子ブックリーダの内部構成を示すブロック図である。
【図３】第１〜７の組み合わせパターンを説明するための説明図である。
【図４】図２の電池残量検出回路の内部構成を示すブロック図である。
【図５】コンテンツ表示処理を示すフローチャートである。
【図６】図５のコンテンツ表示処理で参照されるデータテーブルである。
【図７】実施形態の動作を説明するための説明図である。
【符号の説明】
【００９６】
１は電子ブックリーダ、２はＣＰＵ、３はＲＡＭ、４はＲＯＭ、５はページ送りボタン、６はページ戻しボタン、７は連続送りボタン、８は決定ボタン、９はＩ／Ｏ、１０はＶＲＡＭ、１１はディスプレイコントローラ、１２は表示装置、１３はタッチパネル、１４はタッチパネルＩ／Ｏ、１５は電池残量検出回路、１６は表示体用温度センサ、１８はバス、１９は電気泳動表示体、２０はゲートドライバ、２１はソースドライバ、２２はコンバータ、２３は電圧データラッチ、２４は電池用温度センサ、２５は内部ＲＯＭ、２６は制御回路、２７は演算器
【図１】
2005215499.tif 000003
【図２】
2005215499.tif 000004
【図３】
2005215499.tif 000005
【図４】
2005215499.tif 000006
【図５】
2005215499.tif 000007
【図６】
2005215499.tif 000008
【図７】
2005215499.tif 000009